(57)【要約】      （修正有）【課題】軟らかい密着性ある合成樹脂の先端の筒を広げ、折り曲げ男性性器に被せることで異なる性器に密着し、執拗に性器の締めつけ、傷めることなく寝返りしても、上向き状態でも尿の逆漏れを防止する尿漏れ防止の樹脂管を提供する。【解決手段】樹脂管先端の性器挿入口に軟らかい密着性のある樹脂１を、長方形の筒状にして、円形の硬い筒２の片側の一部に接着、硬い筒に接着された密着性ある樹脂１を指で折り返すことで、挿入口が大きく開き男性性器の根元に被せて密着して尿の逆漏れを防ぐ。硬い筒２の反対側には透明な筒状のビニール筒６の先端が接着され、排泄された尿が筒内に誘導され蓄積され、蓄積された尿は排泄口のキャップ７を外すことで容易に放出が出来る。【選択図】図１
0003191701.tif 000002
【実用新案登録請求の範囲】
【請求項１】
本考案の先端に軟らかい密着性のある合成樹脂の筒を男性性器に被せることで個々に異なる男性性器に樹脂が密着する、筒の先端の合成樹脂を指で広げ折り曲げることで挿入時の、取り外しが容易にできる。
装着した樹脂は、軟らかく密着するため性器を執拗に締め付け、傷つけることなく上向き状態でも、寝返り状態でも性器の装着面から尿が逆流する心配がないことを特徴とする。尿を溜めた透明な管には、尿の量による圧力で尿の逆流を防止する壁と、尿の取込口に逆流を防止する蓋を付けることで尿の逆漏れを防ぐ。更に性器を包む合成樹脂が逆流を更に防止する。透明なビニール管に溜めた尿は健康状態を確認でき、排出口から尿を放出することが可能となる。
【考案の詳細な説明】
【技術分野】
【０００１】  本考案は、男性の性器先端に密着性の高い、軟らかい合成樹脂を装着し尿を管に蓄え排出するものである。
【考案の概要】
【考案が解決しようとする課題】
【０００２】  おむつを装着して就寝しても、その日の尿の量や寝返りで背中、脇腹に尿が溢れ床を濡らし不快な事が多く、おむつの経済的負担も大きく、床や衣服を汚し手間も労働的負担も生じ、従って尿漏れを防止し、尿を蓄え、尿の逆漏れを防ぎ、排出が自由にでき、外出や就寝時の尿漏れの不安を解決しようとするものである。
【考案の効果】
【０００３】  上述の様に男性性器の先端に密着性の高い軟らかい合成樹脂を装着することにより、異なる男性性器にも指で合成樹脂を広げ折り曲げ被せることで容易に取付、取り外しができ、軟らかく密着し、性器を強く絞めつけ傷めることなく、上向きに寝ている体勢でも、寝返りしても管内の溜った尿の逆漏れの無いように考案したものである。
透明な樹脂管内に溜った尿は健康状態を確認でき、尿を取り込む管に中蓋を付け、蓄えられた尿の逆流を防止する。管の長さで尿を溜める量の調節ができる。溜った尿は排出口の栓を抜くことで放出が可能である。
【図面の簡単な説明】
【０００４】
【図１】本考案の先端に軟らかい密着性の高い合成樹脂を男性性器に被せ、尿漏れの防止を示す断面図。本考案の尿を溜められる部分と、溜った尿が圧力により逆流することを防ぐ壁と蓋。又、健康が確認できる透明なビニール管を示す断面図。
【図２】本考案の合成樹脂管の先端を広げ折り曲げ、性器に被せる実施例を示す部分。本考案の樹脂管の先端が密着された実施例を示す部分の参考図。
【考案を実施するための形態】
【０００５】  本考案のは男性性器の先端に本体の軟らかく密着性の高い樹脂管を被せることで、性器に合成樹脂の先端が密着して尿漏れを防止し、性器を強く締めつけ、傷めることなく尿の流れを樹脂管に誘導する。途中薄い透明なビニール管の中に尿を溜め、溜めた尿の圧力で逆流することを中蓋により遮断する。排出口の栓を抜くことで尿の放出が可能となる。
【実施例】
【０００６】  本考案は男性性器に装着する際、管の先端に軟らかい密着性のある合成樹脂を使用し筒状の状態を指で開き性器に被せて挿入することで、軟らかく密着性ある管は性器を執拗に締め付けることも傷をつけることもなく、密着するため寝返り、上向きに眠っている状態でも尿が管を逆流しても中蓋で漏れることを防ぐ。【０００７】  軟らかく密着性ある合成樹脂の挿入口は、個々異なる男性性器にも容易に装着可能となる。【０００８】
【符号の説明】
【０００９】１  男性性器
２  軟らかく密着性の高い合成樹脂の挿入口
３  溜められた尿の圧力で逆流するのを防ぐ為の壁。
４  尿の誘導口
５  溜った尿の逆流を防ぐ蓋
６  尿を溜め、尿の健康が確認できる透明な軟らかいビニール筒
７  溜めた尿の排出口の栓
２ａ  軟らかく密着性の高い合成樹脂の先端を広げ折り曲げ容易に脱着可能な挿入口の参考図。
２ｂ  軟らかく密着性の高い合成樹脂が性器に装着された参考図。
【図１】
0003191701.tif 000003
【図２】
0003191701.tif 000004
【手続補正書】
【提出日】平成25年12月6日(2013.12.6)
【手続補正１】
【補正対象書類名】実用新案登録請求の範囲
【補正対象項目名】全文
【補正方法】変更
【補正の内容】
【実用新案登録請求の範囲】
【請求項１】
本考案の先端に軟らかい密着性のある筒状の樹脂を指で折り返し男性性器の根元に被せ、折り返した樹脂を戻すことで性器が筒と密着し、放出された尿が漏れるのを防止し、放出された尿は帯状の透明なビニール筒に誘導され蓄積される、誘導された尿は健康状態が確認でき、密着した性器の挿入口から仰向けに寝て居るとき、外出の時でも尿が漏れる不安が解消できる、蓄積された尿は帯状の透明ビニール管からなる、一端を折り返し可能な、男性性器の装着部とし、パターンを栓つきの尿排出口を備えた、尿漏れ防止の樹脂管。
【手続補正書】
【提出日】平成26年2月26日(2014.2.26)
【手続補正１】
【補正対象書類名】実用新案登録請求の範囲
【補正対象項目名】全文
【補正方法】変更
【補正の内容】
【実用新案登録請求の範囲】
【請求項１】
先端に軟らかい密着性のある筒状の樹脂を指で折り返し男性性器の根元に被せ、折り返した樹脂を戻すことで性器が筒と密着し、放出された尿が漏れるのを防止し、放出された尿は帯状の透明なビニール筒に誘導され蓄積される、誘導された尿は健康状態が確認でき、密着した性器の挿入口から仰向けに寝て居るとき、外出の時でも尿が漏れる不安が解消できる、蓄積された尿は帯状の透明ビニール筒からなる、一端を折り返し可能な、男性性器の装着部とし、他端に栓つきの尿排出口を備えた、尿漏れ防止の樹脂管。
【手続補正２】
【補正対象書類名】明細書
【補正対象項目名】全文
【補正方法】変更
【補正の内容】
【考案の詳細な説明】
【技術分野】
【０００１】  先端に、軟らかい密着性のある筒状の樹脂を指で折り返し男性性器の根元に被せ、折り返した樹脂を戻すことで性器が筒と密着し、放出された尿が漏れるのを防止し、放出された尿は帯状の透明なビニール筒に誘導され蓄積される、誘導された尿は健康状態が確認でき、密着した性器の挿入口から仰向けに寝て居る時、外出の時でも尿が漏れる不安が解消できる、蓄積された尿は帯状の透明ビニール筒からなる、一端を折り返し可能な、男性性器の装着部とし、他端に栓つきの尿排出口を備えた、尿漏れ防止の樹脂管。
【考案の概要】
【考案が解決しようとする課題】
【０００２】  おむつを装着して就寝しても、その日の尿の量や寝返りで、背中や脇腹に尿が溢れ、床を濡らし臭くて不快な事が多く、おむつの経済的な負担大きく、床や衣類を汚し、手間や労働的負担も生じ、従って樹脂管に尿を蓄え、尿の逆漏れを防ぎ、容易に排泄ができ、外出、就寝時の尿漏れの不安を解決しようとするものである。
【考案の効果】
【０００３】  上述の様に、男性性器の根元に軟らかい密着性のある筒状の樹脂を指で折り返し、挿入口を広げて被せることで容易に取付け、取り外しができ、密着した樹脂は性器を傷めることはない、上向きの寝ている体勢でも、寝返りしても管内の溜った尿の逆漏れがないように考案したものである。
透明なビニール筒に溜った尿は健康状態が確認ができ、排出口の栓を抜くことで溜った尿は容易に放出が可能である。
【図面の簡単な説明】
【０００４】
【図１】本考案の先端に軟らかい密着性のある樹脂を筒状に設けて男性性器の根元に被せ密着させ尿漏れを防ぐ参考図。
【図２】長方形の筒状に設けた樹脂を指で折り返し広げて男性性器の根元から被せることで樹脂が密着するため尿の逆流を防ぐ参考図。
【図３】本案の挿入口から誘導された尿が透明なビニール管に蓄積され排出口から容易に放出する
【考案を実施するための形態】
【０００５】    樹脂管先端の性器挿入口に軟らかい密着性のある樹脂を、長方形の筒状にして、円形の硬い筒の片側の一部に接着、硬い筒に接着された密着性ある樹脂を指で折り返すことで、挿入口が大きく開き男性性器の根元に被せて密着して尿の逆漏れを防ぐ、硬い筒の反対側には透明な筒状のビニール筒の先端が接着され、排泄された尿が筒内に誘導され蓄積される、蓄積された尿は排泄口のキャップを外すことで容易に放出が出来る。
【実施例】
【０００６】      以下、添付図面に従って一実施例を説明する。１は本考案の先端に密着性がある軟らかい円筒形樹脂を、一定の寸法幅にして、  ２の男性性器が容易に被れる程の、一回り大きい硬い円筒形の樹脂、その片側に接着する、このことにより一回り大きな円筒に接着された軟らかな樹脂は、接着面が押し広げられ、根元を引っ張られることで接着部分以外は収縮するため、３は性器に密着し尿の逆漏れを防止する。【０００７】  ２の円筒形の片側には、４の透明な帯状のビニール筒の先端を接着、排出された尿は４の管に誘導され蓄積され、尿の健康状態の確認が可能になる。【０００８】  ４の透明な帯状のビニール筒の底になる部分には  ５の排泄口があり容易に栓を抜くことで放出できる。
【符号の説明】
【０００９】１  軟らかい密着性ある円筒形樹脂
２  １の密着性樹脂と４の透明ビニールをつなぐ硬い円筒形樹脂
３  尿の逆漏れを防止する性器に密着する樹脂
４  透明な帯状のビニール筒
５  排泄栓
【手続補正書】
【提出日】平成26年5月19日(2014.5.19)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【考案の詳細な説明】
【技術分野】
【０００１】  先端に、軟らかい密着性のある筒状の樹脂を指で折り返し男性性器の根元に被せ、折り返した樹脂を戻すことで性器が筒と密着し、放出された尿が漏れるのを防止し、放出された尿は帯状の透明なビニール筒に誘導され蓄積される、誘導された尿は健康状態が確認でき、密着した性器の挿入口から仰向けに寝て居る時、外出の時でも尿が漏れる不安が解消できる、蓄積された尿は帯状の透明ビニール筒からなる、一端を折り返し可能な、男性性器の装着部とし、他端に栓つきの尿排出口を備えた、尿漏れ防止の樹脂管。
【考案の概要】
【考案が解決しようとする課題】
【０００２】  おむつを装着して就寝しても、その日の尿の量や寝返りで、背中や脇腹に尿が溢れ、床を濡らし臭くて不快な事が多く、おむつの経済的な負担大きく、床や衣類を汚し、手間や労働的負担も生じ、従って樹脂管に尿を蓄え、尿の逆漏れを防ぎ、容易に排泄ができ、外出、就寝時の尿漏れの不安を解決しようとするものである。
【考案の効果】
【０００３】  上述の様に、男性性器の根元に軟らかい密着性のある筒状の樹脂を指で折り返し、挿入口を広げて被せることで容易に取付、取り外しができ、密着した樹脂は性器を傷めることはない、上向きの寝て居る体勢でも、寝返りしても管内の溜った尿の逆漏れがないように考案したものである。
透明なビニール筒に溜った尿は健康状態が確認ができ、排出口の栓を抜くことで溜った尿は容易に放出が可能である。
【図面の簡単な説明】
【０００４】
【図１】本考案の先端に軟らかい密着性のある樹脂を筒状に設けて男性性器の根元に被せ密着させ尿漏れを防ぐ参考図。
【図２】長方形の筒状に設けた樹脂を指で折り返し広げて男性性器の根元から被せることで樹脂が密着するため尿の逆流を防ぐ参考図。
【考案を実施するための形態】
【０００５】  樹脂管先端の性器挿入口に軟らかい密着性のある樹脂を、長方形の筒状にして、円形の硬い筒の片側の一部に接着、硬い筒に接着された密着性ある樹脂を指で折り返すことで、挿入口が大きく開き男性性器根元に被せて密着して尿の逆漏れを防ぐ、硬い筒の反対側には透明な筒状のビニール筒の先端が接着され、排泄された尿が筒内に誘導され蓄積される、蓄積された尿は排泄口のキャップを外すことで容易に放出できる。
【実施例】
【０００６】  以下、添付図面に従って一実施例を説明する。１は本考案の先端に密着性がある軟らかい円筒形樹脂を、一定の寸法幅にして、２の男性性器が容易に被れる程の、一回り大きい硬い円筒形の樹脂、その片側に接着する、このことにより一回り大きな円筒に接着された軟らかな樹脂は、接着面が押し広げられ、根元を引っ張られることで接着部分以外は収縮するため、３は性器に密着し尿の逆漏れを防止する。【０００７】  ２の円筒形の片側には、４の透明な帯状のビニール筒の先端を接着、排出された尿は４の管に誘導され蓄積され、尿の健康状態の確認が可能になる。【０００８】  ４の透明な帯状のビニール筒の底になる部分には  ５の排泄口があり容易に栓を抜くことで放出できる。
【符号の説明】
【０００９】１  軟らかい密着性ある円筒形樹脂
２  １の密着性樹脂と４の透明ビニールをつなぐ硬い円筒形樹脂
３  尿の逆漏れを防止する性器に密着する樹脂
４  透明な帯状のビニール筒
５  排泄栓